(57)【要約】  本願の実施例はページング失敗の処理方法、アクセスネットワーク機器及びコアネットワーク機器を開示し、該方法は、送信すべき端末装置のダウンリンクデータがある場合、該アクセスネットワーク機器が、該アクセスネットワーク機器の該端末装置へのページングに失敗したことを確定することと、該アクセスネットワーク機器が、該アクセスネットワーク機器の該端末装置へのページングに失敗したことを示すための第１指示情報をコアネットワーク機器に送信することと、を含む。本願の実施例の方法、アクセスネットワーク機器及びコアネットワーク機器はデータ伝送の信頼性を向上させることができる。
2020534714.tif 000002
【特許請求の範囲】
【請求項１】
ページング失敗の処理方法であって、
送信すべき端末装置のダウンリンクデータがある場合、アクセスネットワーク機器が、前記アクセスネットワーク機器の前記端末装置へのページングに失敗したことを確定することと、
前記アクセスネットワーク機器が、前記アクセスネットワーク機器の前記端末装置へのページングに失敗したことを示すための第１指示情報をコアネットワーク機器に送信することと、を含むことを特徴とする、前記ページング失敗の処理方法。
【請求項２】
前記アクセスネットワーク機器が前記アクセスネットワーク機器の前記端末装置へのページングに失敗したことを確定することは、
前記アクセスネットワーク機器が、タイマーの時間長又は前記アクセスネットワーク機器により前記端末装置へ送信されたページングメッセージの最大回数Ｎに基づき、前記アクセスネットワーク機器の前記端末装置へのページングに失敗したことを確定することを含み、Ｎを正整数とすることを特徴とする
請求項１に記載の方法。
【請求項３】
前記アクセスネットワーク機器がタイマーの時間長に基づき、前記アクセスネットワーク機器の前記端末装置へのページングに失敗したことを確定することは、
前記アクセスネットワーク機器が、前記タイマーの時間長内に前記ページングメッセージの応答メッセージが受信できていない場合、前記アクセスネットワーク機器が、前記アクセスネットワーク機器の前記端末装置へのページングに失敗したことを確定することを含むことを特徴とする
請求項２に記載の方法。
【請求項４】
前記アクセスネットワーク機器が前記アクセスネットワーク機器により前記端末装置へ送信されたページングメッセージの最大回数Ｎに基づき、前記アクセスネットワーク機器の前記端末装置へのページングに失敗したことを確定することは、
前記アクセスネットワーク機器が、Ｎ回のページングメッセージのうちの各ページングメッセージの応答メッセージが受信できていない場合、前記アクセスネットワーク機器が、前記アクセスネットワーク機器の前記端末装置へのページングに失敗したことを確定することを含むことを特徴とする
請求項２に記載の方法。
【請求項５】
前記方法は、更に、
前記アクセスネットワーク機器が、前記端末装置に対応する前記タイマーの時間長又は前記最大回数Ｎを確定すること、又は
前記アクセスネットワーク機器が、前記端末装置のダウンリンクデータのベアラに対応する前記タイマーの時間長又は前記最大回数Ｎを確定し、又は
前記アクセスネットワーク機器が、前記端末装置のダウンリンクデータのデータフローに対応する前記タイマーの時間長又は前記最大回数Ｎを確定することを含むことを特徴とする
請求項２〜４のいずれか１項に記載の方法。
【請求項６】
前記方法は、更に、
前記アクセスネットワーク機器が、前記コアネットワーク機器から送信された、前記タイマーの時間長又は前記最大回数Ｎを示すための設定情報を受信することを含むことを特徴とする
請求項２〜４のいずれか１項に記載の方法。
【請求項７】
前記第１指示情報が接続解放要求メッセージに含まれ、前記接続解放要求メッセージが、前記コアネットワーク機器と前記アクセスネットワーク機器との前記端末装置の接続を解放するように要求することに用いられることを特徴とする
請求項１〜６のいずれか１項に記載の方法。
【請求項８】
前記第１指示情報は、更に、前記コアネットワーク機器と前記アクセスネットワーク機器との前記端末装置の接続を解放するように前記コアネットワーク機器に指示することに用いられることを特徴とする
請求項１〜６のいずれか１項に記載の方法。
【請求項９】
前記アクセスネットワーク機器が前記アクセスネットワーク機器の端末装置へのページングに失敗したことを確定する前に、前記方法は、更に、
前記アクセスネットワーク機器が、前記端末装置へページングメッセージを送信することを含むことを特徴とする
請求項１〜８のいずれか１項に記載の方法。
【請求項１０】
前記アクセスネットワーク機器が前記端末装置へページングメッセージを送信することは、
前記アクセスネットワーク機器が、前記コアネットワーク機器から送信された前記端末装置のダウンリンクデータを受信した場合、前記アクセスネットワーク機器が、前記端末装置へページングメッセージを送信することを含むことを特徴とする
請求項９に記載の方法。
【請求項１１】
前記アクセスネットワーク機器が前記アクセスネットワーク機器の端末装置へのページングに失敗したことを確定した後、前記方法は、更に、
前記アクセスネットワーク機器が、前記コアネットワーク機器へ前記アクセスネットワーク機器の受信した前記端末装置のダウンリンクデータを返送することを含むことを特徴とする
請求項１０に記載の方法。
【請求項１２】
前記アクセスネットワーク機器が前記端末装置へページングメッセージを送信することは、
前記アクセスネットワーク機器が、前記コアネットワーク機器から送信された、前記端末装置に伝送待ちのダウンリンクデータがあることを示すための第２指示情報を受信することと、
前記アクセスネットワーク機器が、前記第２指示情報に基づき、前記端末装置へページングメッセージを送信することと、を含むことを特徴とする
請求項９に記載の方法。
【請求項１３】
前記アクセスネットワーク機器が前記アクセスネットワーク機器の端末装置へのページングに失敗したことを確定した後、前記方法は、更に、
前記アクセスネットワーク機器が、前記端末装置に到達できないこと又は前記伝送待ちのダウンリンクデータが送信できないことを示すための第３指示情報を前記コアネットワーク機器に送信することを含むことを特徴とする
請求項１２に記載の方法。
【請求項１４】
ページング失敗の処理方法であって、
コアネットワーク機器が、アクセスネットワーク機器から送信された、前記アクセスネットワーク機器の前記端末装置へのページングに失敗したことを示すための第１指示情報を受信することと、
前記コアネットワーク機器が、前記第１指示情報に基づき、前記端末装置に対してページングを開始することと、を含むことを特徴とする、前記ページング失敗の処理方法。
【請求項１５】
前記方法は、更に、
前記コアネットワーク機器が、前記第１指示情報に基づき、前記コアネットワーク機器と前記アクセスネットワーク機器との前記端末装置の接続を解放することを含むことを特徴とする
請求項１４に記載の方法。
【請求項１６】
前記第１指示情報が接続解放要求メッセージに含まれ、前記接続解放要求メッセージが、前記コアネットワーク機器と前記アクセスネットワーク機器との前記端末装置の接続を解放するように要求することに用いられ、前記方法は、更に、
前記コアネットワーク機器が、前記接続解放要求メッセージに基づき、前記コアネットワーク機器と前記アクセスネットワーク機器との前記端末装置の接続を解放することを含むことを特徴とする
請求項１４に記載の方法。
【請求項１７】
前記コアネットワーク機器がアクセスネットワーク機器から送信された第１指示情報を受信する前に、前記方法は、更に、
前記コアネットワーク機器が、前記アクセスネットワーク機器へ前記端末装置のダウンリンクデータを送信することを含むことを特徴とする
請求項１４〜１６のいずれか１項に記載の方法。
【請求項１８】
前記方法は、更に、
前記コアネットワーク機器が、前記アクセスネットワーク機器から返送された前記端末装置のダウンリンクデータを受信することを含むことを特徴とする
請求項１７に記載の方法。
【請求項１９】
前記コアネットワーク機器がアクセスネットワーク機器から送信された第１指示情報を受信する前に、前記方法は、更に、
前記コアネットワーク機器が、前記端末装置に伝送待ちのダウンリンクデータがあることを示すための第２指示情報を前記アクセスネットワーク機器に送信することを含むことを特徴とする
請求項１４〜１６のいずれか１項に記載の方法。
【請求項２０】
前記コアネットワーク機器が前記アクセスネットワーク機器へ第２指示情報を送信した後、前記方法は、更に、
前記コアネットワーク機器が、前記アクセスネットワーク機器から送信された、前記端末装置に到達できないこと又は前記伝送待ちのダウンリンクデータが送信できないことを示すための第３指示情報を受信することを含む、ことを特徴とする
請求項１９に記載の方法。
【請求項２１】
前記方法は、更に、
前記コアネットワーク機器が、前記アクセスネットワーク機器が前記端末装置へのページングに失敗したことを確定するための、タイマーの時間長又は前記アクセスネットワーク機器により前記端末装置へ送信されたページングメッセージの最大回数Ｎを示すための設定情報を前記アクセスネットワーク機器に送信することを含み、Ｎを正整数とすることを特徴とする
請求項１４〜２０のいずれか１項に記載の方法。
【請求項２２】
アクセスネットワーク機器であって、
送信すべき端末装置のダウンリンクデータがある場合、前記アクセスネットワーク機器の前記端末装置へのページングに失敗したことを確定するように構成される第１確定ユニットと、
前記アクセスネットワーク機器の前記端末装置へのページングに失敗したことを示すための第１指示情報をコアネットワーク機器に送信するように構成される第１送信ユニットと、を備えることを特徴とする、前記アクセスネットワーク機器。
【請求項２３】
前記第１確定ユニットは、具体的に、
タイマーの時間長又は前記アクセスネットワーク機器により前記端末装置へ送信されたページングメッセージの最大回数Ｎに基づき、前記アクセスネットワーク機器の前記端末装置へのページングに失敗したことを確定するように構成され、Ｎを正整数とすることを特徴とする
請求項２２に記載のアクセスネットワーク機器。
【請求項２４】
前記第１確定ユニットは、具体的に、
前記アクセスネットワーク機器が前記タイマーの時間長内に前記ページングメッセージの応答メッセージが受信できていない場合、前記アクセスネットワーク機器の前記端末装置へのページングに失敗したことを確定するように構成されることを特徴とする
請求項２３に記載のアクセスネットワーク機器。
【請求項２５】
前記第１確定ユニットは、具体的に、
前記アクセスネットワーク機器がＮ回のページングメッセージのうちの各ページングメッセージの応答メッセージが受信できていない場合、前記アクセスネットワーク機器の前記端末装置へのページングに失敗したことを確定するように構成されることを特徴とする
請求項２３に記載のアクセスネットワーク機器。
【請求項２６】
前記アクセスネットワーク機器は、更に、
前記端末装置に対応する前記タイマーの時間長又は前記最大回数Ｎを確定し、又は
前記端末装置のダウンリンクデータのベアラに対応する前記タイマーの時間長又は前記最大回数Ｎを確定し、又は
前記端末装置のダウンリンクデータのデータフローに対応する前記タイマーの時間長又は前記最大回数Ｎを確定するように構成される第２確定ユニットを備えることを特徴とする
請求項２３〜２５のいずれか１項に記載のアクセスネットワーク機器。
【請求項２７】
前記アクセスネットワーク機器は、更に、
前記コアネットワーク機器から送信された、前記タイマーの時間長又は前記最大回数Ｎを示すための設定情報を受信するように構成される受信ユニットを備えることを特徴とする
請求項２３〜２５のいずれか１項に記載のアクセスネットワーク機器。
【請求項２８】
前記第１指示情報が接続解放要求メッセージに含まれ、前記接続解放要求メッセージが、前記コアネットワーク機器と前記アクセスネットワーク機器との前記端末装置の接続を解放するように要求することに用いられることを特徴とする
請求項２２〜２７のいずれか１項に記載のアクセスネットワーク機器。
【請求項２９】
前記第１指示情報は、更に、前記コアネットワーク機器と前記アクセスネットワーク機器との前記端末装置の接続を解放するように前記コアネットワーク機器に指示することに用いられることを特徴とする
請求項２２〜２７のいずれか１項に記載のアクセスネットワーク機器。
【請求項３０】
前記アクセスネットワーク機器は、更に、
前記端末装置へページングメッセージを送信するように構成される第２送信ユニットを備えることを特徴とする
請求項２２〜２９のいずれか１項に記載のアクセスネットワーク機器。
【請求項３１】
前記第２送信ユニットは、具体的に、
前記アクセスネットワーク機器が前記コアネットワーク機器から送信された前記端末装置のダウンリンクデータを受信した場合、前記端末装置へページングメッセージを送信するように構成されることを特徴とする
請求項３０に記載のアクセスネットワーク機器。
【請求項３２】
前記アクセスネットワーク機器は、更に、
前記コアネットワーク機器へ前記アクセスネットワーク機器の受信した前記端末装置のダウンリンクデータを返送するように構成される第３送信ユニットを備えることを特徴とする
請求項３１に記載のアクセスネットワーク機器。
【請求項３３】
前記第２送信ユニットは、具体的に、
前記コアネットワーク機器から送信された、前記端末装置に伝送待ちのダウンリンクデータがあることを示すための第２指示情報を受信し、
前記第２指示情報に基づき、前記端末装置へページングメッセージを送信するように構成されることを特徴とする
請求項３０に記載のアクセスネットワーク機器。
【請求項３４】
前記アクセスネットワーク機器は、更に、
前記端末装置に到達できないこと又は前記伝送待ちのダウンリンクデータが送信できないことを示すための第３指示情報を前記コアネットワーク機器に送信するように構成される第４送信ユニットを備えることを特徴とする
請求項３３に記載のアクセスネットワーク機器。
【請求項３５】
コアネットワーク機器であって、
アクセスネットワーク機器から送信された、前記アクセスネットワーク機器の前記端末装置へのページングに失敗したことを示すための第１指示情報を受信するように構成される第１受信ユニットと、
前記第１指示情報に基づき、前記端末装置に対してページングを開始するように構成されるページングユニットと、を備えることを特徴とする、前記コアネットワーク機器。
【請求項３６】
前記コアネットワーク機器は、更に、
前記第１指示情報に基づき、前記コアネットワーク機器と前記アクセスネットワーク機器との前記端末装置の接続を解放するように構成される解放ユニットを備えることを特徴とする
請求項３５に記載のコアネットワーク機器。
【請求項３７】
前記第１指示情報が接続解放要求メッセージに含まれ、前記接続解放要求メッセージが、前記コアネットワーク機器と前記アクセスネットワーク機器との前記端末装置の接続を解放するように要求することに用いられ、前記コアネットワーク機器は、更に、
前記接続解放要求メッセージに基づき、前記コアネットワーク機器と前記アクセスネットワーク機器との前記端末装置の接続を解放するように構成される解放ユニットを備えることを特徴とする
請求項３５に記載のコアネットワーク機器。
【請求項３８】
前記コアネットワーク機器は、更に、
前記アクセスネットワーク機器へ前記端末装置のダウンリンクデータを送信するように構成される第１送信ユニットを備えることを特徴とする
請求項３５〜３７のいずれか１項に記載のコアネットワーク機器。
【請求項３９】
前記コアネットワーク機器は、更に、
前記アクセスネットワーク機器から返送された前記端末装置のダウンリンクデータを受信するように構成される第２受信ユニットを備えることを特徴とする
請求項３８に記載のコアネットワーク機器。
【請求項４０】
前記コアネットワーク機器は、更に、
前記端末装置に伝送待ちのダウンリンクデータがあることを示すための第２指示情報を前記アクセスネットワーク機器に送信するように構成される第２送信ユニットを備えることを特徴とする
請求項３５〜３７のいずれか１項に記載のコアネットワーク機器。
【請求項４１】
前記コアネットワーク機器は、更に、
前記アクセスネットワーク機器から送信された、前記端末装置に到達できないこと又は前記伝送待ちのダウンリンクデータが送信できないことを示すための第３指示情報を受信するように構成される第３受信ユニットを備えることを特徴とする
請求項４０に記載のコアネットワーク機器。
【請求項４２】
前記コアネットワーク機器は、更に、
前記アクセスネットワーク機器が前記端末装置へのページングに失敗したことを確定するための、タイマーの時間長又は前記アクセスネットワーク機器により前記端末装置へ送信されたページングメッセージの最大回数Ｎを示すための設定情報を前記アクセスネットワーク機器に送信するように構成され、Ｎを正整数とする第３送信ユニットを備えることを特徴とする
請求項３５〜４１のいずれか１項に記載のコアネットワーク機器。
【発明の詳細な説明】
【技術分野】
【０００１】
本願の実施例は通信分野に関し、且つより具体的に、ページング失敗の処理方法、アクセスネットワーク機器及びコアネットワーク機器に関する。
【背景技術】
【０００２】
ページングは、ネットワークが端末をサーチする際に行われるシグナリングプロセスであり、ネットワークにおいて着信がページングによって行わなければ、正常に通信できない。第５世代（５Ｇ）システムにおいて、端末のダウンリンクデータが到達した場合、ページングは、加入者アクセス網（ＲＡＮ：Ｒｅｓｉｄｅｎｔｉａｌ  Ａｃｃｅｓｓ  Ｎｅｔｗｏｒｋ）によって端末に対してページングを起こすことができ、現在、ＲＡＮのページングに失敗した場合、ネットワーク側が当該データを放棄する可能性があるが、アクセスネットワーク自体に起因したページング失敗の可能性があるため、データ伝送の信頼性がより低い。
【発明の概要】
【発明が解決しようとする課題】
【０００３】
これに鑑みて、本願の実施例はデータ伝送の信頼性を向上させることのできるページング失敗の処理方法、アクセスネットワーク機器及びコアネットワーク機器を提供する。
【課題を解決するための手段】
【０００４】
第１態様では、ページング失敗の処理方法を提供し、該方法は、送信すべき端末装置のダウンリンクデータがある場合、アクセスネットワーク機器が該アクセスネットワーク機器の該端末装置へのページングに失敗したことを確定することと、該アクセスネットワーク機器が、該アクセスネットワーク機器の該端末装置へのページングに失敗したことを示すための第１指示情報をコアネットワーク機器に送信することと、を含む。
【０００５】
まず、アクセスネットワーク機器が端末装置に対してページングを開始してもよく、アクセスネットワーク機器がページングを開始することに失敗した場合、コアネットワーク機器がページングを開始してもよく、これにより、データが送信される確率を向上させることができ、それによりデータ伝送の信頼性を向上させる。
【０００６】
可能な実現方式では、該アクセスネットワーク機器が、該アクセスネットワーク機器の該端末装置へのページングに失敗したことを確定することは、該アクセスネットワーク機器がタイマーの時間長又は該アクセスネットワーク機器により該端末装置へ送信されたページングメッセージの最大回数Ｎに基づき、該アクセスネットワーク機器の該端末装置へのページングに失敗したことを確定することを含み、Ｎを正整数とする。
【０００７】
該タイマーの時間長又は最大回数Ｎがアクセスネットワークの負荷状況又はアクセスネットワークのいくつかの他の特性によって確定されてもよい。
【０００８】
可能な実現方式では、該アクセスネットワーク機器がタイマーの時間長に基づき、該アクセスネットワーク機器の該端末装置へのページングに失敗したことを確定することは、該アクセスネットワーク機器が該タイマーの時間長内にページングメッセージの応答メッセージが受信できていない場合、該アクセスネットワーク機器が、該アクセスネットワーク機器の該端末装置へのページングに失敗したことを確定することを含む。
【０００９】
可能な実現方式では、該アクセスネットワーク機器が該アクセスネットワーク機器により該端末装置へ送信されたページングメッセージの最大回数Ｎに基づき、該アクセスネットワーク機器の該端末装置へのページングに失敗したことを確定することは、該アクセスネットワーク機器がＮ回のページングメッセージのうちの各ページングメッセージの応答メッセージが受信できていない場合、該アクセスネットワーク機器が、該アクセスネットワーク機器の該端末装置へのページングに失敗したことを確定することを含む。
【００１０】
アクセスネットワーク機器はページングを１回送信した後、該ページングの応答メッセージを受信できないことを確定した場合、端末へページングを再び送信してもよく、アクセスネットワーク機器は更にページングメッセージを送信するたびに、一時経過後に該ページングメッセージの応答メッセージを受信できるかどうかを判断しなくてもよい。
【００１１】
好ましくは、更にアクセスネットワーク機器の性能に基づいてページングに失敗する可能性があることを事前に直接判断してもよく、そうするとアクセスネットワーク機器はページングに失敗する可能性があることをコアネットワーク機器に直接通知してもよく、コアネットワークは端末装置に対してページングを直接開始してもよいし、アクセスネットワーク機器によってページングを開始し続けてもよく、アクセスネットワーク機器がページングを開始することに失敗した後、コアネットワーク機器がページングを開始する。
【００１２】
可能な実現方式では、該方法は、更に、該アクセスネットワーク機器が該端末装置に対応する該タイマーの時間長又は該最大回数Ｎを確定し、又は該アクセスネットワーク機器が該端末装置のダウンリンクデータのベアラに対応する該タイマーの時間長又は該最大回数Ｎを確定し、又は該アクセスネットワーク機器が該端末装置のダウンリンクデータのデータフローに対応する該タイマーの時間長又は該最大回数Ｎを確定することを含む。
【００１３】
好ましくは、ネットワーク機器が各端末装置にページングに失敗したかどうかを判断するための１つ又は複数のパラメータを事前に設定してもよい。該ネットワーク機器がコアネットワーク機器であってもよいし、アクセスネットワーク機器であってもよい。
【００１４】
可能な実現方式では、該方法は、更に、該アクセスネットワーク機器が該コアネットワーク機器から送信された、該タイマーの時間長又は該最大回数Ｎを示すための設定情報を受信することを含む。
【００１５】
可能な実現方式では、該第１指示情報が接続解放要求メッセージに含まれ、該接続解放要求メッセージが、該コアネットワーク機器と該アクセスネットワーク機器との該端末装置の接続を解放するように要求することに用いられる。
【００１６】
アクセスネットワーク機器は端末装置へのページングに失敗したことを確定した後、そのページングに失敗したことを示す１つの指示情報をコアネットワーク機器に独立して送信してもよく、前記指示情報が従来のいくつかのメッセージ主体に含まれてもよい。
【００１７】
可能な実現方式では、該第１指示情報は、更に、該コアネットワーク機器と該アクセスネットワーク機器との該端末装置の接続を解放するように該コアネットワーク機器に指示することに用いられる。
【００１８】
可能な実現方式では、該アクセスネットワーク機器が該アクセスネットワーク機器の端末装置へのページングに失敗したことを確定する前に、該方法は、更に、該アクセスネットワーク機器が該端末装置へページングメッセージを送信することを含む。
【００１９】
可能な実現方式では、該アクセスネットワーク機器が該端末装置へページングメッセージを送信することは、該アクセスネットワーク機器が該コアネットワーク機器から送信された該端末装置のダウンリンクデータを受信した場合、該アクセスネットワーク機器が該端末装置へページングメッセージを送信することを含む。
【００２０】
可能な実現方式では、該アクセスネットワーク機器が該アクセスネットワーク機器の端末装置へのページングに失敗したことを確定した後、該方法は、更に、該アクセスネットワーク機器が該コアネットワーク機器へ該アクセスネットワーク機器の受信した該端末装置のダウンリンクデータを返送することを含む。
【００２１】
可能な実現方式では、該アクセスネットワーク機器が該端末装置へページングメッセージを送信することは、該アクセスネットワーク機器が該コアネットワーク機器から送信された、該端末装置に伝送待ちのダウンリンクデータがあることを示すための第２指示情報を受信することと、該アクセスネットワーク機器が該第２指示情報に基づき、該端末装置へページングメッセージを送信することと、を含む。
【００２２】
可能な実現方式では、前記アクセスネットワーク機器が前記アクセスネットワーク機器の端末装置へのページングに失敗したことを確定した後、前記方法は、更に、前記アクセスネットワーク機器が、前記端末装置に到達できないこと又は前記伝送待ちのダウンリンクデータが送信できないことを示すための第３指示情報を前記コアネットワーク機器に送信することを含む。
【００２３】
アクセスネットワーク機器も該端末装置に到達できないこと又は該伝送待ちのダウンリンクデータが送信できないことを示す第１指示情報を多重化する。
【００２４】
第２態様では、ページング失敗の処理方法を提供し、該方法は、コアネットワーク機器が、アクセスネットワーク機器から送信された、該アクセスネットワーク機器の該端末装置へのページングに失敗したことを示すための第１指示情報を受信することと、該コアネットワーク機器が、該第１指示情報に基づき、該端末装置に対してページングを開始することと、を含む。
【００２５】
可能な実現方式では、該方法は、更に、該コアネットワーク機器が該第１指示情報に基づき、該コアネットワーク機器と該アクセスネットワーク機器との該端末装置の接続を解放することを含む。
【００２６】
可能な実現方式では、該第１指示情報が接続解放要求メッセージに含まれ、該接続解放要求メッセージが、該コアネットワーク機器と該アクセスネットワーク機器との該端末装置の接続を解放するように要求することに用いられ、該方法は、更に、該コアネットワーク機器が該接続解放要求メッセージに基づき、該コアネットワーク機器と該アクセスネットワーク機器との該端末装置の接続を解放することを含む。
【００２７】
可能な実現方式では、該コアネットワーク機器がアクセスネットワーク機器から送信された第１指示情報を受信する前に、該方法は、更に、該コアネットワーク機器が該アクセスネットワーク機器へ該端末装置のダウンリンクデータを送信することを含む。可能な実現方式では、該方法は、更に、該コアネットワーク機器が該アクセスネットワーク機器から返送された該端末装置のダウンリンクデータを受信することを含む。
【００２８】
可能な実現方式では、該コアネットワーク機器がアクセスネットワーク機器から送信された第１指示情報を受信する前に、該方法は、更に、該コアネットワーク機器が該端末装置に伝送待ちのダウンリンクデータがあることを示すための第２指示情報を該アクセスネットワーク機器に送信することを含む。
【００２９】
可能な実現方式では、前記コアネットワーク機器が前記アクセスネットワーク機器へ第２指示情報を送信した後、前記方法は、更に、前記コアネットワーク機器が前記アクセスネットワーク機器から送信された、前記端末装置に到達できないこと又は前記伝送待ちのダウンリンクデータが送信できないことを示すための第３指示情報を受信することを含む。
【００３０】
可能な実現方式では、該方法は、更に、該コアネットワーク機器が該アクセスネットワーク機器が該端末装置へのページングに失敗したことを確定するための、タイマーの時間長又は該アクセスネットワーク機器により該端末装置へ送信されたページングメッセージの最大回数Ｎを示すための設定情報を該アクセスネットワーク機器に送信することを含み、Ｎを正整数とする。
【００３１】
第３態様では、アクセスネットワーク機器を提供し、上記第１態様又は第１態様のいずれか１つの可能な実現方式における方法を実行することに用いられる。具体的に、該アクセスネットワーク機器は上記第１態様又は第１態様のいずれか１つの可能な実現方式における方法を実行するように構成されるユニットを備える。
【００３２】
第４態様では、コアネットワーク機器を提供し、上記第２態様又は第２態様のいずれか１つの可能な実現方式における方法を実行することに用いられる。具体的に、該コアネットワーク機器は上記第２態様又は第２態様のいずれか１つの可能な実現方式における方法を実行するように構成されるユニットを備える。
【００３３】
第５態様では、アクセスネットワーク機器を提供し、該アクセスネットワーク機器はメモリ、プロセッサ、入力インターフェース及び出力インターフェースを備える。メモリ、プロセッサ、入力インターフェース及び出力インターフェースがバスシステムによって接続される。該メモリは命令を記憶することに用いられ、該プロセッサは該メモリに記憶される命令を実行することに用いられ、上記第１態様又は第１態様のいずれか１つの可能な実現方式における方法を実行することに用いられる。
【００３４】
第６態様では、コアネットワーク機器を提供し、該コアネットワーク機器はメモリ、プロセッサ、入力インターフェース及び出力インターフェースを備える。メモリ、プロセッサ、入力インターフェース及び出力インターフェースがバスシステムによって接続される。該メモリは命令を記憶することに用いられ、該プロセッサは該メモリに記憶される命令を実行することに用いられ、上記第２態様又は第２態様のいずれか１つの可能な実現方式における方法を実行することに用いられる。
【００３５】
第７態様では、コンピュータ記憶媒体を提供し、上記第１態様又は第１態様のいずれか１つの可能な実現方式における方法、又は上記第２態様又は第２態様のいずれか１つの可能な実現方式における方法を実行するために用いた、上記態様を実行するために設計したプログラムを含むコンピュータソフトウェア命令を記憶することに用いられる。
【００３６】
第８態様では、命令を含むコンピュータプログラム製品を提供し、コンピュータにおいて実行されるとき、コンピュータが上記第１態様又は第１態様のいずれか１つの可能な実現方式における方法、又は上記第２態様又は第２態様のいずれか１つの可能な実現方式における方法を実行する。
【００３７】
本願のこれらの態様又は他の態様は以下の実施例の説明において明らかになる。
【図面の簡単な説明】
【００３８】
【図１】図１は本願の実施例の応用シーンの模式図である。
【図２】図２は本願の実施例のページング失敗の処理方法の模式的なブロック図である。
【図３】図３は本願の実施例のページング失敗の処理方法の他の模式的なブロック図である。
【図４】図４は本願の実施例のアクセスネットワーク機器の模式的なブロック図である。
【図５】図５は本願の実施例のコアネットワーク機器の模式的なブロック図である。
【図６】図６は本願の実施例のアクセスネットワーク機器の他の模式的なブロック図である。
【図７】図７は本願の実施例のコアネットワーク機器の他の模式的なブロック図である。
【発明を実施するための形態】
【００３９】
以下、本願の実施例の図面を参照しながら、本願の実施例の技術案を明確且つ完全に説明する。
【００４０】
本願の実施例の技術案は様々な通信システム、例えば、モバイル通信用グローバル（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ＬＴＥシステム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）システム、ユニバーサルモバイルテレコミュニケーションズシステム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波利用アクセスに関する世界的な相互運用（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、新無線（ＮＲ：Ｎｅｗ  Ｒａｄｉｏ）又は将来の５Ｇシステム等に適用されてもよいと理解すべきである。
【００４１】
特に、本願の実施例の技術案は非直交多元アクセス技術に基づく様々な通信システム、例えば疎コード多重アクセス（ＳＣＭＡ：Ｓｐａｒｓｅ  Ｃｏｄｅ  Ｍｕｌｔｉｐｌｅ  Ａｃｃｅｓｓ）システム、低密度シグネチャ（ＬＤＳ：Ｌｏｗ  Ｄｅｎｓｉｔｙ  Ｓｉｇｎａｔｕｒｅ）システム等に適用されてもよく、無論、通信分野ではＳＣＭＡシステム及びＬＤＳシステムが他の名称と称されてもよく、更に、本願の実施例の技術案は非直交多元アクセス技術を用いたマルチキャリア伝送システム、例えば非直交多元アクセス技術を用いた直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、フィルタバンクマルチキャリア（ＦＢＭＣ：Ｆｉｌｔｅｒ  Ｂａｎｋ  Ｍｕｌｔｉ−Ｃａｒｒｉｅｒ）、汎用周波数分割多重（ＧＦＤＭ：Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ）、フィルタ直交周波数分割多重（Ｆ−ＯＦＤＭ：Ｆｉｌｔｅｒｅｄ−ＯＦＤＭ）システム等に適用されてもよい。
【００４２】
本願の実施例における端末装置はユーザー装置（ＵＥ：Ｕｓｅｒ  Ｅｑｕｉｐｍｅｎｔ）、アクセス端末、ユーザー要素、加入者局、移動局、トラバーサー、遠隔局、遠隔端末、モバイルデバイス、ユーザー端末、端末、無線通信装置、ユーザーエージェント又はユーザーデバイスを指してもよい。アクセス端末はセルラー方式の電話、コードレスホン、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）局、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブル端末、将来の５Ｇネットワークにおける端末装置又は将来発展する公衆陸上移動網（ＰＬＭＮ：Ｐｕｂｌｉｃ  Ｌａｎｄ  Ｍｏｂｉｌｅ  Ｎｅｔｗｏｒｋ）における端末装置等であってもよく、本願の実施例は制限しない。
【００４３】
本願の実施例におけるアクセスネットワーク機器は端末装置と通信するための装置であってもよく、該ネットワーク機器はＧＳＭ又はＣＤＭＡにおける基地局（ＢＴＳ：Ｂａｓｅ  Ｔｒａｎｓｃｅｉｖｅｒ  Ｓｔａｔｉｏｎ）であってもよく、ＷＣＤＭＡシステムにおける基地局（ＮＢ：ＮｏｄｅＢ）であってもよく、ＬＴＥシステムにおける発展型基地局（ｅＮＢ又はｅＮｏｄｅＢ：Ｅｖｏｌｕｔｉｏｎａｌ  ＮｏｄｅＢ）であってもよく、更にクラウド無線アクセスネットワーク（ＣＲＡＮ：Ｃｌｏｕｄ  Ｒａｄｉｏ  Ａｃｃｅｓｓ  Ｎｅｔｗｏｒｋ）シーンにおける無線制御装置であってもよく、又は、該ネットワーク機器は中継所、アクセスポイント、車載装置、ウェアラブル端末及び将来の５Ｇネットワークにおけるネットワーク機器又は将来発展するＰＬＭＮネットワークにおけるネットワーク機器等であってもよく、本願の実施例は制限しない。
【００４４】
本願の実施例におけるコアネットワーク機器はモビリティ管理エンティティ（ＭＭＥ：Ｍｏｂｉｌｉｔｙ  Ｍａｎａｇｅｍｅｎｔ  Ｅｎｔｉｔｙ）であってもよいし、サービングゲートウェイ（Ｓ−ＧＷ：Ｓｅｒｖｉｎｇ  Ｇａｔｅｗａｙ）又はパケットデータネットワークゲートウェイ（Ｐ−ＧＷ：Ｐａｃｋｅｔ  Ｄａｔａ  Ｎｅｔｗｏｒｋ  Ｇａｔｅｗａｙ）等であってもよく、本願の実施例は制限しない。
【００４５】
図１は本願の実施例の応用シーンの模式図である。図１に示すように、ＬＴＥのシステムアーキテクチャは２つの部分に分けられ、ＭＭＥ／Ｓ−ＧＷ及びｅＮｏｄｅＢを含む。ｅＮｏｄｅＢとＵＥとがＵｕインターフェースを介して接続され、ＵＥの制御プレーン及びユーザープレーンへのプロトコル終了点を提供する。ｅＮｏｄｅＢ同士がＸ２インターフェースを介して接続され、且つ通信すべき２つの異なるｅＮｏｄｅＢの間に常にＸ２インターフェースがある。ＬＴＥアクセスネットワークとコアネットワークとがＳ１インターフェースを介して接続され、Ｓ１インターフェースがマルチ−マルチアクセス方式をサポートする。
【００４６】
一般的に、後続のシグナリング又はデータ伝送を行うために、ページングの主な目的はＵＥからモバイルコアネットワーク（ＥＰＣ：Ｅｖｏｌｖｅｄ  Ｐａｃｋｅｔ  Ｃｏｒｅ）までのシグナリング接続を確立することである。５Ｇシステムにおいて、端末装置のダウンリンクデータが到達した場合、ＲＡＮ経由で端末装置に対してページングしてもよいし、コアネットワーク（ＣＮ：Ｃｏｒｅ  Ｎｅｔｗｏｒｋ）経由で端末装置に対してページングしてもよい。しかしながら、一般的に、ＲＡＮページングに失敗したら、該ダウンリンクデータが到達できず、このため、データ伝送の信頼性に悪影響を与えてしまう。
【００４７】
図２は本願の実施例のページング失敗の処理方法１００の模式的なブロック図である。図２に示すように、該方法１００は以下の一部又は全部を含む。
【００４８】
Ｓ１１０、送信すべき端末装置のダウンリンクデータがある場合、該アクセスネットワーク機器が、該アクセスネットワーク機器の該端末装置へのページングに失敗したことを確定する。
【００４９】
Ｓ１２０、該アクセスネットワーク機器が、該アクセスネットワーク機器の該端末装置へのページングに失敗したことを示すための第１指示情報をコアネットワーク機器に送信する。
【００５０】
具体的に、コアネットワーク機器は端末装置へダウンリンクデータを送信する必要がある場合、アクセスネットワーク機器が端末装置に対してページングを開始してもよく、アクセスネットワーク機器が一定のルールに従って該アクセスネットワーク機器の開始したページングに失敗したと判断すれば、アクセスネットワーク機器が端末装置へのページングに失敗したと見なされてもよく、該一定のルールは例えばアクセスネットワーク機器が端末装置へページングメッセージを送信した後、一定時間経過後に該ページングメッセージの応答の受信ができていないということであってもよい。アクセスネットワーク機器が端末装置へのページングに失敗したことを確定した場合、アクセスネットワーク機器がコアネットワーク機器へ指示情報を送信して、該アクセスネットワーク機器によるページングに失敗したことをコアネットワーク機器に通知してもよく、更に、コアネットワーク機器がこの部分のダウンリンクデータに基づいて端末装置に対してページングを再び開始してもよい。
【００５１】
従って、本願の実施例のページング失敗の処理方法によれば、アクセスネットワーク機器がページングに失敗したことを確定した後、コアネットワーク機器がページングを開始することを通知し、それによりデータ伝送の信頼性を向上させることができる。
【００５２】
つまり、本願の実施例において、まず、アクセスネットワーク機器が端末装置に対してページングを開始してもよく、アクセスネットワーク機器がページングを開始することに失敗した場合、コアネットワーク機器がページングを開始してもよく、これにより、データが送信される確率を向上させることができ、それによりデータ伝送の信頼性を向上させる。
【００５３】
好ましくは、本願の実施例において、該アクセスネットワーク機器が、該アクセスネットワーク機器の該端末装置へのページングに失敗したことを確定することは、該アクセスネットワーク機器がタイマーの時間長又は該アクセスネットワーク機器により該端末装置へ送信されたページングメッセージの最大回数Ｎに基づき、該アクセスネットワーク機器の該端末装置へのページングに失敗したことを確定することを含み、Ｎを正整数とする。
【００５４】
以下、どのように上記タイマーの時間長又は最大回数Ｎに基づいてアクセスネットワーク機器によるページングに失敗したことを判断するかをそれぞれ説明する。
【００５５】
好ましくは、本願の実施例において、該アクセスネットワーク機器が該タイマーの時間長内にページングメッセージの応答メッセージが受信できていない場合、該アクセスネットワーク機器が、該アクセスネットワーク機器の該端末装置へのページングに失敗したことを確定する。
【００５６】
例えば、タイマーに１つの時間を設定してもよく、アクセスネットワーク機器が端末装置へページングメッセージを送信する際に該タイマーを起動し、タイマーがタイムアウトになる前に、アクセスネットワーク機器が該ページングメッセージの応答メッセージを受信した場合、該アクセスネットワーク機器が該端末装置へのページングに成功したと見なされてもよい。タイマーがタイムアウトになるとき、アクセスネットワーク機器が該ページングメッセージの応答メッセージが受信できていない場合、アクセスネットワーク機器が該端末装置へのページングに失敗したと見なされてもよい。
【００５７】
該タイマーの時間長がアクセスネットワークの負荷状況又はアクセスネットワークのいくつかの他の特性によって確定されてもよいと理解すべきである。例えば、現在のアクセスネットワーク機器の負荷が大きすぎる場合、アクセスネットワーク機器が該タイマーの時間長を小さく設定してもよく、このように、アクセスネットワーク機器はページングに失敗したかどうかを迅速に判断することができ、ページングに失敗すれば、コアネットワーク機器がページングを直ちに開始する。更に、例えば、現在のアクセスネットワーク機器の負荷がより小さい場合、アクセスネットワーク機器が該タイマーの時間長を大きく設定してもよく、このように、アクセスネットワーク機器はページングに失敗したかどうかを判断するための時間を十分取ることができ、これにより、アクセスネットワーク機器によるページングに成功したが、待ち時間がより短いため、コアネットワーク機器がページングを１回行うことによる不必要な浪費を回避する。
【００５８】
好ましくは、本願の実施例において、該アクセスネットワーク機器がＮ回のページングメッセージのうちの各ページングメッセージの応答メッセージが受信できていない場合、該アクセスネットワーク機器が該アクセスネットワーク機器の該端末装置に対するページングに失敗したことを確定する。
【００５９】
例えば、アクセスネットワーク機器が端末装置に対してページングを１回開始した後、アクセスネットワーク機器が一定時間内に応答の受信ができていない場合、この時、アクセスネットワーク機器がまだページングに失敗したことが確定できず、端末装置に対してページングを再び開始してもよい。アクセスネットワーク機器が端末装置に対してページングを複数回連続開始した後、アクセスネットワーク機器がいずれも応答の受信ができていない場合、アクセスネットワーク機器がページングに失敗したと判断できる。つまり、１つの最大回数Ｎを設定してもよい。例えば、該Ｎが５であってもよく、アクセスネットワーク機器がページングを５回連続開始した後、端末装置からの該５回のページングに対する応答の受信ができていない場合、アクセスネットワーク機器が該アクセスネットワーク機器の端末装置へのページングに失敗したと見なされてもよい。
【００６０】
アクセスネットワーク機器がページングメッセージを送信するたびに、一時経過後に該ページングメッセージの応答メッセージを受信できるかどうかを判断し、該応答メッセージを受信できない場合、２回目のページングメッセージを送信しなくてもよく、アクセスネットワーク機器が端末装置へページングメッセージをＮ回直接連続送信して、最後のページングメッセージを送信した後、一時待って、該時間内にページングメッセージの応答を受信した場合、ページングに成功したと見なされてもよく、一時経過後にページングメッセージの応答の受信ができていない場合、アクセスネットワーク機器が該アクセスネットワーク機器の端末装置へのページングに失敗したと見なされてもよいと理解すべきである。アクセスネットワーク機器がどのように該複数回のページングメッセージを送信するかについては、本願の実施例は制限しない。
【００６１】
該最大回数Ｎがアクセスネットワークの負荷状況又はアクセスネットワークのいくつかの他の特性によって確定されてもよいと更に理解すべきである。タイマーの時間長の確定方式を参照してもよい。
【００６２】
本明細書において、タイマーの時間長及び最大回数を、ページングに失敗したかどうかを判断するパラメータとすると更に理解すべきである。本願の実施例はこれに限らず、例えば、本願の実施例において、更にアクセスネットワーク機器の性能に基づいてページングに失敗する可能性があることを事前に直接判断してもよく、そうするとアクセスネットワーク機器がページングに失敗する可能性があることをコアネットワーク機器に直接通知してもよく、コアネットワークは端末装置に対してページングを直接開始してもよいし、アクセスネットワーク機器によってページングを開始し続けてもよく、アクセスネットワーク機器がページングを開始することに失敗した後、コアネットワーク機器がページングを開始する。
【００６３】
好ましくは、本願の実施例において、該方法は、更に、該アクセスネットワーク機器が該端末装置に対応する該タイマーの時間長又は該最大回数Ｎを確定し、又は該アクセスネットワーク機器が該端末装置のダウンリンクデータのベアラに対応する該タイマーの時間長又は該最大回数Ｎを確定し、又は該アクセスネットワーク機器が該端末装置のダウンリンクデータのデータフローに対応する該タイマーの時間長又は該最大回数Ｎを確定することを含む。
【００６４】
具体的に、ネットワーク機器が各端末装置にページングに失敗したかどうかを判断するための１つ又は複数のパラメータを事前に設定してもよい。アクセスネットワーク機器がどの端末装置に対してページングを開始するかを把握すると、アクセスネットワーク機器が設定テーブルからそれに対応する１つ又は複数のパラメータを直接検索してもよい。例えば、ネットワーク機器が各端末装置に複数のタイマーの時間長を事前に設定してもよく、アクセスネットワーク機器はページングすべき端末装置の複数のタイマーの時間長を検索することができ、更にアクセスネットワーク機器は一定のルールに従って該複数のタイマーの時間長から１つを選択してアクセスネットワーク機器によるページングに失敗したかどうかを判断するパラメータとしてもよい。ネットワーク機器が各ベアラにページングに失敗したかどうかを判断するための１つ又は複数のパラメータを事前に設定してもよい。アクセスネットワーク機器は端末装置へ送信したダウンリンクデータがどのベアラを用いるかを把握すると、アクセスネットワーク機器は設定テーブルから該ベアラに対応する１つ又は複数のパラメータを直接検索してもよい。例えば、ネットワーク機器が各ベアラに複数の最大回数Ｎを事前に設定してもよく、アクセスネットワーク機器は伝送待ちのダウンリンクデータのベアラの複数の最大回数Ｎを検索することができ、更にアクセスネットワーク機器は一定のルールに従って該複数の最大回数Ｎから１つを選択してアクセスネットワーク機器によるページングに失敗したかどうかを判断するパラメータとしてもよい。更に、例えば、ネットワーク機器は各データフローに複数のタイマーを事前に設定してもよく、アクセスネットワーク機器は伝送待ちのダウンリンクデータのデータフローの複数のタイマーを検索することができ、更にアクセスネットワーク機器は一定のルールに従って該複数のタイマーから１つを選択してアクセスネットワーク機器によるページングに失敗したかどうかを判断するパラメータとしてもよい。
【００６５】
好ましくは、本願の実施例において、該方法は、更に、該アクセスネットワーク機器が該コアネットワーク機器から送信された、該タイマーの時間長又は該最大回数Ｎを示すための設定情報を受信することを含む。
【００６６】
つまり、該最大回数Ｎ及び該タイマーの時間長がコアネットワーク機器によって確定されてもよい。具体的に、コアネットワーク機器によって直接設定してもよいし、コアネットワーク経由で上記１つのマッピングテーブルを事前に設定し、使用時にコアネットワーク経由で該マッピングテーブルから検索してからアクセスネットワーク機器に送信してもよい。
【００６７】
好ましくは、本願の実施例において、該第１指示情報が接続解放要求メッセージに含まれ、該接続解放要求メッセージが、該コアネットワーク機器と該アクセスネットワーク機器との該端末装置の接続を解放するように要求することに用いられる。
【００６８】
具体的に、アクセスネットワーク機器が端末装置へのページングに失敗したことを確定した後、そのページングに失敗したことを示す１つの指示情報をコアネットワーク機器に独立して送信してもよく、前記指示情報が従来のいくつかのメッセージ主体、例えば接続解放要求メッセージに含まれてもよい。そうするとコアネットワーク機器は該接続解放要求メッセージを受信した後、２つの情報、すなわちアクセスネットワーク機器によるページングに失敗した情報、コアネットワーク機器がアクセスネットワーク機器と確立された端末装置の接続を解放する情報を取得することができる。更にコアネットワーク機器は該接続解放要求メッセージで示す内容に基づいてアクセスネットワーク機器と確立された端末装置の接続を直接解放してもよい。
【００６９】
好ましくは、本願の実施例において、該第１指示情報は、更に、該コアネットワーク機器と該アクセスネットワーク機器との該端末装置の接続を解放するように該コアネットワーク機器に指示することに用いられる。該第１指示情報を直接多重化することにより、アクセスネットワーク機器と確立された端末装置の接続を解放することをコアネットワーク機器に指示してもよい。
【００７０】
本願の実施例において、アクセスネットワーク機器が具体的にそのページングに失敗したことをどのようにコアネットワーク機器に示すかについては制限しないと理解すべきである。
【００７１】
好ましくは、本願の実施例において、アクセスネットワーク機器が端末装置に対してページングを開始する方式も様々ある。例えば、コアネットワーク機器がアクセスネットワーク機器へ端末装置のダウンリンクデータを送信してもよく、アクセスネットワーク機器が該ダウンリンクデータを受信すると、アクセスネットワーク機器が端末装置へページングメッセージを送信することが可能になり、アクセスネットワーク機器が該端末装置に対するページングに失敗したことを確定した場合、アクセスネットワーク機器が更にこの部分のダウンリンクデータをコアネットワーク機器に返送し、コアネットワーク機器が端末装置に対してページングを行ってもよく、コアネットワークによるページングに成功した場合、端末装置へこの部分のダウンリンクデータを送信し、更に、例えば、コアネットワーク機器が更にアクセスネットワーク機器へ該端末装置のダウンリンクデータを先に送信せずに、端末装置に伝送待ちのダウンリンクデータがあることをアクセスネットワーク機器に通知する１つの指示情報をアクセスネットワーク機器に送信してもよく、そうするとアクセスネットワーク機器が該指示情報を受信すると、該端末装置へページングメッセージを送信することが可能になり、アクセスネットワーク機器がページングに失敗したことを確定した後、アクセスネットワーク機器は、該端末装置に到達できないこと又は該端末装置のダウンリンクデータが送信できないことをコアネットワーク機器に示すことができ、そうするとコアネットワーク機器が該端末装置のダウンリンクデータを先に送信せずに、端末装置に対してページングを先に開始してもよく、該端末装置へのページングを完了した場合、端末装置へ該ダウンリンクデータを送信する。
【００７２】
アクセスネットワーク機器が受信されたダウンリンクデータに基づいてページングを行ってページングに失敗した場合、アクセスネットワーク機器が更にコアネットワーク機器へ該ダウンリンクデータを直接返送してもよく、そうするとコアネットワーク機器がアクセスネットワーク機器から該ダウンリンクデータを受信したら、該アクセスネットワーク機器の端末装置に対するページングに失敗したと見なされてもよいと理解すべきである。アクセスネットワーク機器は更に該アクセスネットワーク機器の端末装置に対するページングに失敗したことをコアネットワーク機器に通知する指示情報を、コアネットワーク機器へ返送したダウンリンクデータに含ませてもよい。
【００７３】
アクセスネットワーク機器が受信された指示情報に基づいてページングを行ってページングに失敗した場合、アクセスネットワーク機器は該アクセスネットワーク機器によるページングに失敗したことを示す指示情報をコアネットワーク機器に送信してもよいし、該端末装置のダウンリンクデータを送信しないことをコアネットワーク機器に通知する他の指示情報をコアネットワーク機器に送信してもよいと更に理解すべきである。２つの指示情報が１つのメッセージに含まれてもよいし、１つのビットを多重化してもよい。例えば、１つのビットでページングに失敗したかどうかを示してもよいし、該ダウンリンクデータを送信できるかどうかを示してもよく、本願の実施例は制限しない。
【００７４】
図３は本願の実施例のページング失敗の処理方法２００の模式的なブロック図である。図３に示すように、該方法２００は以下の一部又は全部を含む。
【００７５】
Ｓ２１０、コアネットワーク機器が、アクセスネットワーク機器から送信された、該アクセスネットワーク機器の該端末装置へのページングに失敗したことを示すための第１指示情報を受信する。
【００７６】
Ｓ２２０、該コアネットワーク機器が、該第１指示情報に基づき、該端末装置に対してページングを開始する。
【００７７】
従って、本願の実施例のページング失敗の処理方法によれば、アクセスネットワーク機器がページングに失敗したことを確定した後、コアネットワーク機器がページングを開始することを通知し、それによりデータ伝送の信頼性を向上させることができる。
【００７８】
好ましくは、本願の実施例において、該方法は、更に、該コアネットワーク機器が該第１指示情報に基づき、該コアネットワーク機器と該アクセスネットワーク機器との該端末装置の接続を解放することを含む。
【００７９】
好ましくは、本願の実施例において、該第１指示情報が接続解放要求メッセージに含まれ、該接続解放要求メッセージが、該コアネットワーク機器と該アクセスネットワーク機器との該端末装置の接続を解放するように要求することに用いられ、該方法は、更に、該コアネットワーク機器が該接続解放要求メッセージに基づき、該コアネットワーク機器と該アクセスネットワーク機器との該端末装置の接続を解放することを含む。
【００８０】
好ましくは、本願の実施例において、該コアネットワーク機器がアクセスネットワーク機器から送信された第１指示情報を受信する前に、該方法は、更に、該コアネットワーク機器が該アクセスネットワーク機器へ該端末装置のダウンリンクデータを送信することを含む。
【００８１】
好ましくは、本願の実施例において、該方法は、更に、該コアネットワーク機器が該アクセスネットワーク機器から返送された該端末装置のダウンリンクデータを受信することを含む。
【００８２】
好ましくは、本願の実施例において、該コアネットワーク機器がアクセスネットワーク機器から送信された第１指示情報を受信する前に、該方法は、更に、該コアネットワーク機器が該端末装置に伝送待ちのダウンリンクデータがあることを示すための第２指示情報を該アクセスネットワーク機器に送信することを含む。
【００８３】
好ましくは、本願の実施例において、該コアネットワーク機器が該アクセスネットワーク機器へ第２指示情報を送信した後、該方法は、更に、該コアネットワーク機器が該アクセスネットワーク機器から送信された、該端末装置に到達できないこと又は該伝送待ちのダウンリンクデータが送信できないことを示すための第３指示情報を受信することを含む。
【００８４】
コアネットワーク機器において説明されるコアネットワーク機器とアクセスネットワーク機器との相互作用及び関連特性、機能等はアクセスネットワーク機器の関連特性、機能に対応すると理解すべきである。つまり、アクセスネットワーク機器がコアネットワーク機器へどんな情報を送信するかに応じて、コアネットワーク機器が情報を受信する。簡潔のため、ここで詳細な説明は省略する。
【００８５】
本願の様々な実施例において、上記過程の番号の順位は実行順序の前後を意味せず、各過程の実行順序はその機能及び内部論理によって確定されるべきであり、本願の実施例の実施過程を制限するためのものではないと更に理解すべきである。
【００８６】
以上は本願の実施例に係るページング失敗の処理方法を詳しく説明したが、以下に図４〜図７を参照しながら、本願の実施例に係るページング失敗の処理装置を説明し、方法実施例に説明される技術的特徴は以下の装置実施例に適用される。
【００８７】
図４は本願の実施例のアクセスネットワーク機器３００の模式的なブロック図である。図４に示すように、該アクセスネットワーク機器３００は、
送信すべき端末装置のダウンリンクデータがある場合、該アクセスネットワーク機器の該端末装置へのページングに失敗したことを確定するように構成される第１確定ユニット３１０と、
該アクセスネットワーク機器の該端末装置へのページングに失敗したことを示すための第１指示情報をコアネットワーク機器に送信するように構成される第１送信ユニット３２０と、を備える。
【００８８】
従って、本願の実施例のアクセスネットワーク機器はページングに失敗したことを確定した後、コアネットワーク機器がページングを開始することを通知し、それによりデータ伝送の信頼性を向上させることができる。
【００８９】
好ましくは、本願の実施例において、該第１確定ユニットは、具体的に、タイマーの時間長又は該アクセスネットワーク機器により該端末装置へ送信されたページングメッセージの最大回数Ｎに基づき、該アクセスネットワーク機器の該端末装置へのページングに失敗したことを確定することに用いられ、Ｎを正整数とする。
【００９０】
好ましくは、本願の実施例において、該第１確定ユニットは、具体的に、該アクセスネットワーク機器が該タイマーの時間長内にページングメッセージの応答メッセージが受信できていない場合、該アクセスネットワーク機器の該端末装置へのページングに失敗したことを確定することに用いられる。
【００９１】
好ましくは、本願の実施例において、該第１確定ユニットは、具体的に、該アクセスネットワーク機器がＮ回のページングメッセージのうちの各ページングメッセージの応答メッセージが受信できていない場合、該アクセスネットワーク機器の該端末装置へのページングに失敗したことを確定することに用いられる。
【００９２】
好ましくは、本願の実施例において、該アクセスネットワーク機器は、該端末装置に対応する該タイマーの時間長又は該最大回数Ｎを確定し、又は該端末装置のダウンリンクデータのベアラに対応する該タイマーの時間長又は該最大回数Ｎを確定し、又は該端末装置のダウンリンクデータのデータフローに対応する該タイマーの時間長又は該最大回数Ｎを確定するように構成される第２確定ユニットを更に備える。
【００９３】
好ましくは、本願の実施例において、該アクセスネットワーク機器は、該コアネットワーク機器から送信された、該タイマーの時間長又は該最大回数Ｎを示すための設定情報を受信するように構成される受信ユニットを更に備える。
【００９４】
好ましくは、本願の実施例において、該第１指示情報が接続解放要求メッセージに含まれ、該接続解放要求メッセージが、該コアネットワーク機器と該アクセスネットワーク機器との該端末装置の接続を解放するように要求することに用いられる。
【００９５】
好ましくは、本願の実施例において、該第１指示情報は、更に、該コアネットワーク機器と該アクセスネットワーク機器との該端末装置の接続を解放するように該コアネットワーク機器に指示することに用いられる。
【００９６】
好ましくは、本願の実施例において、該アクセスネットワーク機器は、該端末装置へページングメッセージを送信するように構成される第２送信ユニットを更に備える。
【００９７】
好ましくは、本願の実施例において、該第２送信ユニットは、具体的に、該アクセスネットワーク機器が該コアネットワーク機器から送信された該端末装置のダウンリンクデータを受信した場合、該端末装置へページングメッセージを送信することに用いられる。
【００９８】
好ましくは、本願の実施例において、該アクセスネットワーク機器は、該コアネットワーク機器へ該アクセスネットワーク機器の受信した該端末装置のダウンリンクデータを返送するように構成される第３送信ユニットを更に備える。
【００９９】
好ましくは、本願の実施例において、該第２送信ユニットは、具体的に、該コアネットワーク機器から送信された、該端末装置に伝送待ちのダウンリンクデータがあることを示すための第２指示情報を受信し、該第２指示情報に基づき、該端末装置へページングメッセージを送信することに用いられる。
【０１００】
好ましくは、本願の実施例において、該アクセスネットワーク機器は、該端末装置に到達できないこと又は該伝送待ちのダウンリンクデータが送信できないことを示すための第３指示情報を該コアネットワーク機器に送信するように構成される第４送信ユニットを更に備える。
【０１０１】
本願の実施例に係るアクセスネットワーク機器３００は本願の方法実施例におけるアクセスネットワーク機器に対応してもよく、且つアクセスネットワーク機器３００における各ユニットの上記及び他の操作及び／又は機能はそれぞれ図２における方法におけるアクセスネットワーク機器の対応プロセスを実現するためのものであり、簡潔のため、ここで詳細な説明は省略すると理解すべきである。
【０１０２】
図５は本願の実施例のコアネットワーク機器４００の模式的なブロック図である。図５に示すように、該コアネットワーク機器４００は、
アクセスネットワーク機器から送信された、該アクセスネットワーク機器の該端末装置へのページングに失敗したことを示すための第１指示情報を受信するように構成される第１受信ユニット４１０と、
該第１指示情報に基づき、該端末装置に対してページングを開始するように構成されるページングユニット４２０と、を備える。
【０１０３】
従って、本願の実施例のコアネットワーク機器はアクセスネットワーク機器がページングに失敗したことを確定した後、コアネットワーク機器がページングを開始することを通知し、それによりデータ伝送の信頼性を向上させることができる。
【０１０４】
好ましくは、本願の実施例において、該コアネットワーク機器は、該第１指示情報に基づき、該コアネットワーク機器と該アクセスネットワーク機器との該端末装置の接続を解放するように構成される解放ユニットを更に備える。
【０１０５】
好ましくは、本願の実施例において、該第１指示情報が接続解放要求メッセージに含まれ、該接続解放要求メッセージが、該コアネットワーク機器と該アクセスネットワーク機器との該端末装置の接続を解放するように要求することに用いられ、該コアネットワーク機器は、該接続解放要求メッセージに基づき、該コアネットワーク機器と該アクセスネットワーク機器との該端末装置の接続を解放するように構成される解放ユニットを更に備える。
【０１０６】
好ましくは、本願の実施例において、該コアネットワーク機器は、該アクセスネットワーク機器へ該端末装置のダウンリンクデータを送信するように構成される第１送信ユニットを更に備える。
【０１０７】
好ましくは、本願の実施例において、該コアネットワーク機器は、該アクセスネットワーク機器から返送された該端末装置のダウンリンクデータを受信するように構成される第２受信ユニットを更に備える。
【０１０８】
好ましくは、本願の実施例において、該コアネットワーク機器は、該端末装置に伝送待ちのダウンリンクデータがあることを示すための第２指示情報を該アクセスネットワーク機器に送信するように構成される第２送信ユニットを更に備える。
【０１０９】
好ましくは、本願の実施例において、該コアネットワーク機器は、該アクセスネットワーク機器から送信された、該端末装置に到達できないこと又は該伝送待ちのダウンリンクデータが送信できないことを示すための第３指示情報を受信するように構成される第３受信ユニットを更に備える。
【０１１０】
好ましくは、本願の実施例において、該コアネットワーク機器は、該アクセスネットワーク機器が該端末装置へのページングに失敗したことを確定するための、タイマーの時間長又は該アクセスネットワーク機器により該端末装置へ送信されたページングメッセージの最大回数Ｎを示すための設定情報を該アクセスネットワーク機器に送信するように構成され、Ｎを正整数とする第３送信ユニットを更に備える。
【０１１１】
本願の実施例に係るコアネットワーク機器４００は本願の方法実施例におけるコアネットワーク機器に対応してもよく、且つコアネットワーク機器４００における各ユニットの上記及び他の操作及び／又は機能はそれぞれ図３における方法におけるコアネットワーク機器の対応プロセスを実現するためのものであり、簡潔のため、ここで詳細な説明は省略すると理解すべきである。
【０１１２】
図６に示すように、本願の実施例は更にアクセスネットワーク機器５００を提供し、該アクセスネットワーク機器５００は図２における方法１００に対応するアクセスネットワーク機器の内容を実行することのできる図４におけるアクセスネットワーク機器３００であってもよい。該アクセスネットワーク機器５００は入力インターフェース５１０、出力インターフェース５２０、プロセッサ５３０及びメモリ５４０を備え、該入力インターフェース５１０、出力インターフェース５２０、プロセッサ５３０及びメモリ５４０がバスシステムによって接続されてもよい。該メモリ５４０はプログラム、命令又はコードを記憶することに用いられる。入力インターフェース５１０が信号を受信し、出力インターフェース５２０が信号を送信するように制御し及び上記方法実施例における操作を完了するために、該プロセッサ５３０は該メモリ５４０におけるプログラム、命令又はコードを実行することに用いられる。
【０１１３】
従って、本願の実施例のネットワーク機器はアクセスネットワーク機器がページングに失敗したことを確定した後、コアネットワーク機器がページングを開始することを通知し、それによりデータ伝送の信頼性を向上させることができる。
【０１１４】
本願の実施例において、該プロセッサ５３０は中央処理装置（ＣＰＵ：Ｃｅｎｔｒａｌ  Ｐｒｏｃｅｓｓｉｎｇ  Ｕｎｉｔ）であってもよく、該プロセッサ５３０は更に他の汎用プロセッサ、デジタルシグナルプロセッサ、特定用途向け集積回路、フィールドプログラマブルゲートアレイ又は他のプログラマブルロジックデバイス、個別ゲート又はトランジスタロジックデバイス、個別ハードウェアコンポーネント等であってもよいと理解すべきである。汎用プロセッサはマイクロプロセッサであってもよく、又は該プロセッサは更にいかなる通常のプロセッサ等であってもよい。
【０１１５】
該メモリ５４０は読み出し専用メモリ及びランダムアクセスメモリを含んでもよく、且つプロセッサ５３０に命令及びデータを提供する。メモリ５４０の一部は更に不揮発性ランダムアクセスメモリを含んでもよい。例えば、メモリ５４０に更に装置タイプの情報が記憶されてもよい。
【０１１６】
実現過程において、上記方法の各内容はプロセッサ５３０におけるハードウェアの集積論理回路又はソフトウェア形式の命令で完了してもよい。本願の実施例に開示される方法の内容はハードウェアプロセッサで実行して完了し、又はプロセッサにおけるハードウェア及びソフトウェアモジュールの組み合わせで実行して完了すると直接具現されてもよい。ソフトウェアモジュールがランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体がメモリ５４０に位置し、プロセッサ５３０がメモリ５４０における情報を読み取り、そのハードウェアと組み合わせて上記方法の内容を完了する。重複を避けるため、ここで詳細な説明は省略する。
【０１１７】
１つの具体的な実施形態において、アクセスネットワーク機器３００における受信ユニットが図６における入力インターフェース５１０により実現されてもよく、アクセスネットワーク機器３００における第１確定ユニット、第２確定ユニットが図６におけるプロセッサ５３０により実現されてもよい。アクセスネットワーク機器３００における送信ユニット、すなわち第１送信ユニット、第２送信ユニット、第３送信ユニット及び第４送信ユニットが図６における出力インターフェース５２０により実現されてもよい。
【０１１８】
図７に示すように、本願の実施例は更にコアネットワーク機器６００を提供し、該コアネットワーク機器６００は図３における方法２００に対応するコアネットワーク機器の内容を実行することのできる図５におけるコアネットワーク機器４００であってもよい。該コアネットワーク機器６００は入力インターフェース６１０、出力インターフェース６２０、プロセッサ６３０及びメモリ６４０を備え、該入力インターフェース６１０、出力インターフェース６２０、プロセッサ６３０及びメモリ６４０がバスシステムによって接続されてもよい。該メモリ６４０はプログラム、命令又はコードを記憶することに用いられる。入力インターフェース６１０が信号を受信し、出力インターフェース６２０が信号を送信するように制御し及び上記方法実施例における操作を完了するために、該プロセッサ６３０は該メモリ６４０におけるプログラム、命令又はコードを実行することに用いられる。
【０１１９】
従って、本願の実施例のコアネットワーク機器はアクセスネットワーク機器がページングに失敗したことを確定した後、コアネットワーク機器がページングを開始することを通知し、それによりデータ伝送の信頼性を向上させることができる。
【０１２０】
本願の実施例において、該プロセッサ６３０は中央処理装置（ＣＰＵ：Ｃｅｎｔｒａｌ  Ｐｒｏｃｅｓｓｉｎｇ  Ｕｎｉｔ）であってもよく、該プロセッサ６３０は更に他の汎用プロセッサ、デジタルシグナルプロセッサ、特定用途向け集積回路、フィールドプログラマブルゲートアレイ又は他のプログラマブルロジックデバイス、個別ゲート又はトランジスタロジックデバイス、個別ハードウェアコンポーネント等であってもよいと理解すべきである。汎用プロセッサはマイクロプロセッサであってもよく、又は該プロセッサは更にいかなる通常のプロセッサ等であってもよい。
【０１２１】
該メモリ６４０は読み出し専用メモリ及びランダムアクセスメモリを含んでもよく、且つプロセッサ６３０に命令及びデータを提供する。メモリ６４０の一部は更に不揮発性ランダムアクセスメモリを含んでもよい。例えば、メモリ６４０に更に装置タイプの情報が記憶されてもよい。
【０１２２】
実現過程において、上記方法の各内容はプロセッサ６３０におけるハードウェアの集積論理回路又はソフトウェア形式の命令で完了してもよい。本願の実施例に開示される方法の内容はハードウェアプロセッサで実行して完了し、又はプロセッサにおけるハードウェア及びソフトウェアモジュールの組み合わせで実行して完了すると直接具現されてもよい。ソフトウェアモジュールがランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体がメモリ６４０に位置し、プロセッサ６３０がメモリ６４０における情報を読み取り、そのハードウェアと組み合わせて上記方法の内容を完了する。重複を避けるため、ここで詳細な説明は省略する。
【０１２３】
１つの具体的な実施形態において、コアネットワーク機器４００におけるページングユニット、第１送信ユニット、第２送信ユニット及び第３送信ユニットが図７における出力インターフェース６２０により実現されてもよく、コアネットワーク機器４００における解放ユニットが図７におけるプロセッサ６３０により実現されてもよい。コアネットワーク機器４００における第１受信ユニット、第２受信ユニット及び第３受信ユニットが図７における入力インターフェース６１０により実現されてもよい。
【０１２４】
当業者であれば、本明細書に開示される実施例を参照して説明した各例示的なユニット及びアルゴリズムステップは、電子ハードウェア、又はコンピュータソフトウェア及び電子ハードウェアの組み合わせで実現されてもよいと理解される。これらの機能をハードウェア又はソフトウェア方式で実行するかは、技術案の特定応用及び設計制約条件によって決定される。当業者は各特定応用に対して異なる方法で説明される機能を実現することができるが、このような実現は本願の範囲を超えると見なされるべきではない。
【０１２５】
当業者であれば、説明を容易且つ簡単にするために、上記説明されるシステム、装置及びユニットの具体的な動作過程は、上記方法実施例における対応過程を参照してもよく、ここで詳細な説明は省略すると明確に理解される。
【０１２６】
本願に係るいくつかの実施例において、開示されるシステム、装置及び方法は他の方式で実現されてもよいと理解すべきである。例えば、以上に説明される装置実施例は模式的なものに過ぎず、例えば、該ユニットの区別は論理機能上の区別に過ぎず、実際に実現するとき、他の区別方式を用いてもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０１２７】
分離部材として説明される該ユニットは物理的に分離してもよいし、物理的に分離しなくてもよく、ユニットとして表示される部材は物理ユニットであってもよいし、物理ユニットでなくてもよく、つまり、一箇所に位置してもよいし、複数のネットワークユニットに配置されてもよい。実際の必要に応じて、その一部又は全部のユニットを選択して本実施例案の目的を実現してもよい。
【０１２８】
また、本願の各実施例において、各機能ユニットは１つの処理ユニットに統合されてもよく、各ユニットは独立して物理的に存在してもよく、２つ又は２つ以上のユニットは１つのユニットに統合されてもよい。
【０１２９】
該機能はソフトウェア機能ユニットの形式で実現され、且つ独立した製品として販売又は使用されるとき、１つのコンピュータ可読記憶媒体に記憶されてもよい。このような理解に基づき、本願の技術案の本質又は従来技術に貢献する部分、又は該技術案の一部はソフトウェア製品の形式で具現されてもよく、該コンピュータソフトウェア製品は、１台のコンピュータ装置（パーソナルコンピュータ、サーバ又はネットワーク機器等であってもよい）に本願の各実施例の全部又は一部のステップを実行させるための複数の命令を含む１つの記憶媒体に記憶される。そして、上記記憶媒体はＵＳＢメモリ、ポータブルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる様々な媒体を含む。
【０１３０】
以上の説明は本願の具体的な実施形態であって、本願の保護範囲を制限するためのものではなく、当業者が本願に開示される技術的範囲内に容易に想到し得る変更や置換は、いずれも本願の保護範囲内に含まれるべきである。従って、本願の保護範囲は特許請求の範囲に準じるべきである。
【図１】
2020534714.tif 000003
【図２】
2020534714.tif 000004
【図３】
2020534714.tif 000005
【図４】
2020534714.tif 000006
【図５】
2020534714.tif 000007
【図６】
2020534714.tif 000008
【図７】
2020534714.tif 000009
【手続補正書】
【提出日】令和2年7月9日(2020.7.9)
【手続補正１】
【補正対象書類名】特許請求の範囲
【補正対象項目名】全文
【補正方法】変更
【補正の内容】
【特許請求の範囲】
【請求項１】
ページング失敗の処理方法であって、
送信すべき端末装置のダウンリンクデータがある場合、アクセスネットワーク機器が、前記アクセスネットワーク機器の前記端末装置へのページングに失敗したことを確定することと、
前記アクセスネットワーク機器が、前記アクセスネットワーク機器の前記端末装置へのページングに失敗したことを示すための第１指示情報をコアネットワーク機器に送信することと、を含むことを特徴とする、前記ページング失敗の処理方法。
【請求項２】
前記第１指示情報が接続解放要求メッセージに含まれ、前記接続解放要求メッセージが、前記コアネットワーク機器と前記アクセスネットワーク機器との前記端末装置の接続を解放するように要求することに用いられることを特徴とする
請求項１に記載の方法。
【請求項３】
前記アクセスネットワーク機器が前記アクセスネットワーク機器の端末装置へのページングに失敗したことを確定する前に、前記方法は、更に、
前記アクセスネットワーク機器が、前記端末装置へページングメッセージを送信することを含むことを特徴とする
請求項１又は２に記載の方法。
【請求項４】
前記アクセスネットワーク機器が前記端末装置へページングメッセージを送信することは、
前記アクセスネットワーク機器が、前記コアネットワーク機器から送信された前記端末装置のダウンリンクデータを受信した場合、前記アクセスネットワーク機器が、前記端末装置へページングメッセージを送信することを含むことを特徴とする
請求項３に記載の方法。
【請求項５】
前記アクセスネットワーク機器が前記アクセスネットワーク機器の端末装置へのページングに失敗したことを確定した後、前記方法は、更に、
前記アクセスネットワーク機器が、前記コアネットワーク機器へ前記アクセスネットワーク機器の受信した前記端末装置のダウンリンクデータを返送することを含むことを特徴とする
請求項４に記載の方法。
【請求項６】
前記アクセスネットワーク機器が前記端末装置へページングメッセージを送信することは、
前記アクセスネットワーク機器が、前記コアネットワーク機器から送信された、前記端末装置に伝送待ちのダウンリンクデータがあることを示すための第２指示情報を受信することと、
前記アクセスネットワーク機器が、前記第２指示情報に基づき、前記端末装置へページングメッセージを送信することと、を含むことを特徴とする
請求項３に記載の方法。
【請求項７】
前記アクセスネットワーク機器が前記アクセスネットワーク機器の端末装置へのページングに失敗したことを確定した後、前記方法は、更に、
前記アクセスネットワーク機器が、前記端末装置に到達できないこと又は前記伝送待ちのダウンリンクデータが送信できないことを示すための第３指示情報を前記コアネットワーク機器に送信することを含むことを特徴とする
請求項６に記載の方法。
【請求項８】
ページング失敗の処理方法であって、
コアネットワーク機器が、アクセスネットワーク機器から送信された、前記アクセスネットワーク機器の前記端末装置へのページングに失敗したことを示すための第１指示情報を受信することと、
前記コアネットワーク機器が、前記第１指示情報に基づき、前記端末装置に対してページングを開始することと、を含むことを特徴とする、前記ページング失敗の処理方法。
【請求項９】
前記第１指示情報が接続解放要求メッセージに含まれ、前記接続解放要求メッセージが、前記コアネットワーク機器と前記アクセスネットワーク機器との前記端末装置の接続を解放するように要求することに用いられ、前記方法は、更に、
前記コアネットワーク機器が、前記接続解放要求メッセージに基づき、前記コアネットワーク機器と前記アクセスネットワーク機器との前記端末装置の接続を解放することを含むことを特徴とする
請求項８に記載の方法。
【請求項１０】
前記コアネットワーク機器がアクセスネットワーク機器から送信された第１指示情報を受信する前に、前記方法は、更に、
前記コアネットワーク機器が、前記アクセスネットワーク機器へ前記端末装置のダウンリンクデータを送信することを含むことを特徴とする
請求項８又は９に記載の方法。
【請求項１１】
前記方法は、更に、
前記コアネットワーク機器が、前記アクセスネットワーク機器から返送された前記端末装置のダウンリンクデータを受信することを含むことを特徴とする
請求項１０に記載の方法。
【請求項１２】
前記コアネットワーク機器がアクセスネットワーク機器から送信された第１指示情報を受信する前に、前記方法は、更に、
前記コアネットワーク機器が、前記端末装置に伝送待ちのダウンリンクデータがあることを示すための第２指示情報を前記アクセスネットワーク機器に送信することを含むことを特徴とする
請求項８又は９のいずれか１項に記載の方法。
【請求項１３】
前記コアネットワーク機器が前記アクセスネットワーク機器へ第２指示情報を送信した後、前記方法は、更に、
前記コアネットワーク機器が、前記アクセスネットワーク機器から送信された、前記端末装置に到達できないこと又は前記伝送待ちのダウンリンクデータが送信できないことを示すための第３指示情報を受信することを含む、ことを特徴とする
請求項１２に記載の方法。
【請求項１４】
アクセスネットワーク機器であって、
請求項１〜７のいずれか１項に記載の方法を実施するように構成されることを特徴とする、前記アクセスネットワーク機器。
【請求項１５】
コアネットワーク機器であって、
請求項８〜１３のいずれか１項に記載の方法を実施するように構成されることを特徴とする、前記コアネットワーク機器。
【国際調査報告】
2020534714.tif 000010
2020534714.tif 000011
2020534714.tif 000012
2020534714.tif 000013